【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
放送局又は配信装置から放送されてきたコンテンツをダウンロードする第１次ダウンロード手段と、
前記コンテンツのうち前記第１次ダウンロード手段によるダウンロードに失敗した部分を検出する検出手段と、
前記コンテンツのうちの前記第１次ダウンロード手段によるダウンロードに失敗した部分をサーバから通信回線を介してダウンロードする第２次ダウンロード手段と、
を備えることを特徴とするコンテンツ・ダウンロード装置。
【請求項２】
請求項１に記載のコンテンツ・ダウンロード装置において、
前記検出手段及び前記第２次ダウンロード手段は、前記第１次ダウンロード手段の動作が前記コンテンツの全体について終了する前から動作することを特徴とするコンテンツ・ダウンロード装置。
【請求項３】
請求項２に記載のコンテンツ・ダウンロード装置において、
前記第１次ダウンロード手段は、カルーセル伝送方式に従って動作し、
前記検出手段は、或るブロックを含むモジュールの繰返し伝送において、そのブロックのダウンロードに成功したことが一度もないうちに、そのモジュールの繰返し伝送が終了したことをもって、そのブロックの前記第１次ダウンロード手段によるダウンロードに失敗したことを検出し、
前記第２次ダウンロード手段は、前記第１次ダウンロード手段によるダウンロードに失敗したことが検出されたブロックを前記サーバからダウンロードすることを特徴とするコンテンツ・ダウンロード装置。
【請求項４】
請求項２に記載のコンテンツ・ダウンロード装置において、
前記第１次ダウンロード手段は、カルーセル伝送方式に従って動作し、
前記検出手段は、前記第１次ダウンロード手段が、或るモジュールに含まれる或るブロックのダウンロードに少なくとも１度失敗したことをもって、そのブロックの前記第１次ダウンロード手段によるダウンロードに失敗したとみなし、
前記第２次ダウンロード手段は、前記第１次ダウンロード手段によるダウンロードに失敗したとみなされたブロックを前記サーバからダウンロードすることを特徴とするコンテンツ・ダウンロード装置。
【請求項５】
請求項４に記載のコンテンツ・ダウンロード装置において、
前記第１次ダウンロード手段は、該第１次ダウンロード手段によるダウンロードに失敗したとみなされたブロックの前記放送局又は配信装置からのダウンロードを前記カルーセル伝送方式により継続し、
この継続によりダウンロードに成功したブロック又は前記第２次ダウンロード手段によるダウンロードに成功したブロックの何れかをモジュール復元のためのブロックとして選択するモジュール復元手段を更に備えることを特徴とするコンテンツ・ダウンロード装置。
【請求項６】
請求項４に記載のコンテンツ・ダウンロード装置において、
前記第１次ダウンロード手段が、該第１次ダウンロード手段によるダウンロードに失敗したとみなされたブロックの前記放送局又は配信装置からのダウンロードを前記カルーセル伝送方式により継続するか否かにかかわらず、前記第２次ダウンロード手段によりダウンロードに成功したブロックをモジュール復元のためのブロックとして選択するモジュール復元手段を更に備えることを特徴とするコンテンツ・ダウンロード装置。
【請求項７】
請求項２に記載のコンテンツ・ダウンロード装置において、
前記第１次ダウンロード手段は、カルーセル伝送方式に従って動作し、
前記検出手段は、前記第１次ダウンロード手段で、或るモジュールに含まれる或るブロックのダウンロードに少なくとも１度失敗したことをもって、そのブロックの前記第１次ダウンロード手段によるダウンロードに失敗したとみなし、
前記第１次ダウンロード手段によるダウンロードに失敗したとみなされたブロックを今から後に前記第１次ダウンロード手段により前記放送局又は配信装置からダウンロードする場合のダウンロード終了時刻及びそのブロックを今から後に前記第２次ダウンロード手段により前記サーバからダウンロードする場合のダウンロード終了時刻を見積もった上で、双方のダウンロード終了時刻を比較する見積・比較手段と、
前者のダウンロード終了時刻よりも後者のダウンロード終了時刻が早いと判断した場合に、前記第１次ダウンロード手段によるダウンロードに失敗したとみなされたブロックを前記第２次ダウンロード手段がダウンロードするために、前記第２次ダウンロード手段を起動する起動制御手段と、
を更に備えることを特徴とするコンテンツ・ダウンロード装置。
【請求項８】
請求項７に記載のコンテンツ・ダウンロード装置において、
前記第１次ダウンロード手段は、該第１次ダウンロード手段によるダウンロードに失敗したとみなされたブロックの前記放送局又は配信装置からのダウンロードを前記カルーセル伝送方式により継続し、
前記第２次ダウンロード手段が起動された場合、前記第１次ダウンロード手段により継続された前記カルーセル伝送方式によるダウンロードに成功したブロック又は前記第２次ダウンロード手段によるダウンロードに成功したブロックの何れかをモジュール復元のためのブロックとして選択するモジュール復元手段を更に備えることを特徴とするコンテンツ・ダウンロード装置。
【請求項９】
請求項７に記載のコンテンツ・ダウンロード装置において、
前記第２次ダウンロード手段が起動された場合、前記第１次ダウンロード手段が、前記第１次ダウンロード手段によるダウンロードに失敗したとみなされたブロックの前記放送局又は配信装置からのダウンロードを前記カルーセル伝送方式により継続するか否かにかかわらず、前記第２次ダウンロード手段によるダウンロードに成功したブロックをモジュール復元のためのブロックとして選択するモジュール復元手段を更に備えることを特徴とするコンテンツ・ダウンロード装置。
【請求項１０】
請求項１に記載のコンテンツ・ダウンロード装置において、
前記検出手段及び前記第２次ダウンロード手段は、前記第１次ダウンロード手段の動作が前記コンテンツの全体について失敗部分の有無にかかわらず終了してから動作することを特徴とするコンテンツ・ダウンロード装置。
【請求項１１】
請求項１に記載のコンテンツ・ダウンロード装置において、
前記通信回線は、携帯網、固定電話網又はインターネットのうちの少なくとも１つを含むものであることを特徴とするコンテンツ・ダウンロード装置。
【手続補正２】
【補正対象書類名】明細書
【補正対象項目名】００１１
【補正方法】変更
【補正の内容】
【００１１】
本発明によれば、放送局又は配信装置から放送されてきたコンテンツをダウンロードする第１次ダウンロード手段と、前記コンテンツのうち前記第１次ダウンロード手段によるダウンロードに失敗した部分を検出する検出手段と、前記コンテンツのうちの前記第１次ダウンロード手段によるダウンロードに失敗した部分をサーバから通信回線を介してダウンロードする第２次ダウンロード手段と、を備えることを特徴とするコンテンツ・ダウンロード装置が提供される。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
本発明によれば、放送局又は配信装置から放送されてきたコンテンツをダウンロードする第１次ダウンロード手段と、前記コンテンツのうち前記第１次ダウンロード手段によるダウンロードに失敗した部分を検出する検出手段と、前記コンテンツのうちの前記第１次ダウンロード手段によるダウンロードに失敗した部分をサーバから通信回線を介してダウンロードする第２次ダウンロード手段と、を備えるので、放送局から放送されてきたコンテンツの一部のダウンロードに失敗した場合であっても、そのコンテンツのその部分を取得することが可能となる。
【手続補正１６】
【補正対象書類名】明細書
【補正対象項目名】００２５
【補正方法】変更
【補正の内容】
【００２５】
また、本発明によれば、前記検出手段及び前記第２次ダウンロード手段は、前記第１次ダウンロード手段の動作が前記コンテンツの全体について終了する前から行われるようにしているので、放送局から放送されてきたコンテンツの一部のダウンロードに失敗した場合であっても、そのコンテンツのその部分を早期に取得することが可能となる。